(57)【要約】【課題】  例えば特定商品の販売促進などに際して、対応する商品を示すディスプレイの画面中の表示部を通してその旨を明示することの出来る画像処理受付装置を提供する。【解決手段】  制御装置を介してディスプレイの画面に表示される複数の選択表示部に基づき、各種情報を入力するようにした画像処理受付装置において、制御装置のプログラム上には、ディスプレイの画面に表示される複数の選択表示部中、特定の選択表示部を他の選択表示とは異なる形態で表示させるための表示形態変化機能部と、表示形態変化機能部により表示される特定の選択表示部を設定するための特定選択表示部設定機能とが構築され、表示形態変化機能部は、特定の選択表示部の表示の大きさ及び色彩を他の選択表示部の表示とは異なるように表示させるようにしている。【選択図】  図５
2006079414.tif 000002
【特許請求の範囲】
【請求項１】
制御装置を介してディスプレイの画面に表示される複数の選択表示部に基づき、各種情報を入力するようにした画像処理受付装置において、制御装置には、ディスプレイの画面に表示される複数の選択表示部中、特定の選択表示部を他の選択表示とは異なる形態で表示させるための表示形態変化手段が備えられていることを特徴とする画像処理受付装置。
【請求項２】
表示形態変化手段が、特定の選択表示部の表示の大きさまたは色彩の少なくとも一方を他の選択表示部の表示とは異なるように表示させるようにしていることを特徴とする請求項１に記載の画像処理装置受付装置。
【請求項３】
制御装置には、表示形態変化手段により表示される特定の選択表示部を設定するための特定選択表示部設定手段が備えられていることを特徴とする請求項１又は２に記載の画像処理受付装置。
【発明の詳細な説明】
【技術分野】
【０００１】
本発明は、画像処理受付装置、詳しくは、ディスプレイの画面に表示される複数の選択表示部に基づいて、プリント処理に必要な各種情報を入力するのに用いる画像処理受付装置に関する。
【背景技術】
【０００２】
一般にこの種の画像処理受付装置は、コンビニエンスストアの店頭などに設置され、顧客が持ち込んだメモリカードなどの各種記録媒体に記録された画像データからプリントの注文などを受け付けるサービスを行なうようにしている。
【０００３】
そして以上の画像処理受付装置により例えばプリントの注文を受け付ける場合、顧客は、ディスプレイの画面上に表示された情報を見ながら、プリントサイズやプリント枚数などを指定するのであって、例えばプリントサイズの指定では、ディスプレイの画面に表示されている複数のプリントサイズの選択表示部中の1つを選択して、プリントサイズを決定するようにしている。（特許文献１参照）
ところで、以上の画像処理受付装置を設置する店舗においては、販促のために、例えば、複数のプリントサイズの中から所定のサイズのプリントの単価をディスカウントするなどのキャンペーンを実施することがある。
【０００４】
以上のキャンペーンなどに際しては、顧客にそのキャンペーン実施商品を明示する必要があるが、従来では、例えばキャンペーン用のポスターやパンフレットを別途作成して、キャンペーン実施商品を顧客に知らせるようにしているため、販促などを行なうに際して、ポスターなどの作成費用などが別途必要となるばかりか、ポスターなどの作成に手間を要する不具合がある。
【特許文献１】特開２００３−７８８４７号公報
【発明の開示】
【発明が解決しようとする課題】
【０００５】
本発明は以上の実情に鑑みて開発したものであって、目的とするところは、例えば特定商品の販売促進などに際して、ディスプレイの画面中の対応する商品を示す表示部を通してその旨を明示することの出来る画像処理受付装置を提供することにある。
【課題を解決するための手段】
【０００６】
以上の目的を達成するために、請求項１に記載の発明は、制御装置を介してディスプレイの画面に表示される複数の選択表示部に基づき、各種情報を入力するようにした画像処理受付装置において、制御装置には、ディスプレイの画面に表示される複数の選択表示部中、特定の選択表示部を他の選択表示とは異なる形態で表示させるための表示形態変化手段が備えられていることを特徴とするものである。
【０００７】
請求項２に記載の発明は、請求項１に記載の表示形態変化手段が、特定の選択表示部の表示の大きさまたは色彩の少なくとも一方を他の選択表示部の表示とは異なるように表示させるようにしていることを特徴とするものである。
【０００８】
また請求項３に記載の発明は、請求項１又は２に記載の画像処理受付装置の制御装置には、表示形態変化手段により表示される特定の選択表示部を設定するための特定選択表示部設定手段が備えられていることを特徴とするものである。
【発明の効果】
【０００９】
請求項１に記載の発明によれば、例えばプリントのサイズ選択する場合などにおいて、予め特定選択表示部設定機能部を介して設定されている特定の選択表示部が、他の選択表示部とは異なる形態で表示されることから、顧客がディスプレイの画面に従って例えばプリントサイズを選択するに際して、特定の選択表示部が顧客の目に入り易く、その選択表示部で示されているものが例えばキャンペーン商品であることを顧客に容易に知らしめることが出来、その商品の販売活動の促進を図ることが出来るのである。
【００１０】
請求項２に記載の発明によれば、特定の選択表示部の表示の大きさまたは色彩の少なくとも一方が他の選択表示部の表示とは異なるように表示することから、請求項１に記載の発明の効果に加え、更に特定の選択表示部がその他の選択表示とは明瞭に差別化されて表示されることとなり、より一層、特定の選択表示部が顧客の目に入り易くなる。
【００１１】
請求項３に記載の発明によれば、特定選択表示部設定手段を介して表示形態変化手段により表示される特定の選択表示部を自由に設定することが出来るので、例えば販売促進キャンペーンなどに際して、さまざまなサービスを迅速に提供することが出来、より一層の販売促進を図ることが可能となる。
【発明を実施するための最良の形態】
【００１２】
図１において符号１で示す画像処理受付装置は、制御装置２と、制御装置の制御により各種情報を表示するための液晶ディスプレイ３と、ＭＯやメモリカードなど各種記録媒体からの画像データを主として読み取るための読取装置４と、顧客に対して領収書や引換証などを発行するための印字装置５と、読取装置４により記録媒体から読み出された画像データを一時的に記憶するためのハードディスクから構成された記憶装置２０とが備えられている。
【００１３】
制御装置２は、装置全体を制御するためのＣＰＵ、制御プログラムを記憶したＲＯＭ、処理データを一時的に記憶するためのＲＡＭなどから構成されて、画像処理受付装置１を構成する各種構成機器を系統的に制御すると共に、ネットワークを介した通信機能を備え、この通信機能によりネットワークを介してプリント処理装置６に接続されている。
【００１４】
プリント処理装置６は、画像処理受付装置１からネットワークを介して受け取った画像情報に基づく画像を、印画紙にデジタル露光させるための露光処理部６１と、この露光処理部６１で露光処理された印画紙を現像、漂白定着及び安定処理するための現像処理部６２と、現像処理部６２で処理された印画紙を乾燥するための乾燥処理部６３等から構成されている。
【００１５】
液晶ディスプレイ３は、その液晶画面３０にタッチパネルが形成されて、この液晶画面３０に表示される例えば選択表示部にタッチすることで、プリントサイズやプリント枚数などの各種プリント情報の入力を行うことが可能となっている。
【００１６】
以上の構成から成る画像処理受付装置において、図に示す実施形態では、制御装置２のプログラム上に、例えば図５に示すように、液晶ディスプレイ３の画面３０に表示されるプリントサイズ選択画面において、このプリントサイズ選択画面に表示される複数の選択表示部Ｄ１・Ｄ２・Ｄ３中、特定の選択表示部Ｄ２を他の選択表示Ｄ１・Ｄ３とは異なる形態で表示させるための表示形態変化機能部２１と、この表示形態変化機能部２１により表示される特定の選択表示部を設定するための特定選択表示部設定機能部２２とが構築されている。
【００１７】
尚、選択表示部Ｄ１はＬ判のプリントを示し、選択表示部Ｄ２は２Ｌ判のプリントを示し、選択表示部Ｄ３は六つ切のプリントを示している。
【００１８】
実施形態に示す表示形態変化機能部２１は、プリントサイズ選択画面において、図５にも示すように、特定の選択表示部Ｄ２が顧客の目に入り易いように、特定の選択表示部Ｄ２の表示の大きさを他の選択表示部Ｄ１・Ｄ３の表示よりも一回り大きく表示させると共に、その色彩も他の選択表示部Ｄ１・Ｄ３とは異なるようにしている。
【００１９】
また特定選択表示部設定機能部２２は、前述のプリントサイズ選択画面に表示される３つ選択表示部Ｄ１・Ｄ２・Ｄ３中から、表示形態変化機能部２１により表示される特定の選択表示部をオペレータが任意設定するためのものであって、
例えば液晶ディスプレイ３の画面中にプリントサイズ選択画面を呼び出して、この液晶画面上で、特定選択表示部設定機能部２２を介して画面３０に表示される特定の選択表示部を任意設定するか、若しくは、別途用意したキーボード２３を制御装置２に接続して、このキーボード２３による入力作業で、特定選択表示部設定機能部２２を介して画面３０に表示される特定の選択表示部を任意設定するようにしているのであって、その際、特定の選択表示部に対して更に例えば「キャンペーン商品」などの特定の文字を入力表示できるようにしてもよい。
【００２０】
次に以上の構成から成る画像処理受付装置により、顧客が画像のプリントの注文を行なう手順を説明する。
【００２１】
まず顧客は、ディスプレイ３の画面３０に表示される例えば図４の（ａ）に示す「サービス選択画面」の表示に従って画面上の「プリント受付」の表示にタッチし、プリント受付を選択すると、ディスプレイ３の画面３０には、続いて図４の（ｂ）に示す「メディア選択画面」が表示され、顧客は、その画面表示に従って自らが持ち込んだ記録媒体Ｍの種類を選択する。
【００２２】
そして顧客が記録媒体の種類を選択すると、ディスプレイ３の画面３０には、次に図４の（ｃ）に示す「メディアセット案内画面」が表示されるのであって、そこで顧客が対応する記録媒体Ｍを所定の読取装置４にセットした上で、画面中の「ＯＫボタン」を押すと、セットされた記録媒体Ｍから画像情報が読み出されると共に、ディスプレイ３の画面３０には、図５に示す「プリントサイズ選択画面」が表示されるので、顧客は、「プリントサイズ選択画面」の画面表示に従って希望するプリントサイズを選択するのである。
【００２３】
ところで、この「プリントサイズ選択画面」画面では、図５に示すように、予め特定選択表示部設定機能部２２により設定されている特定の選択表示部Ｄ２が、他の選択表示部Ｄ１・Ｄ３の表示よりも一回り大きく、しかもその色彩も他の選択表示部Ｄ１・Ｄ３とは異なって表示されることから、特定の選択表示部Ｄ２が顧客の目に入り易く、その選択表示部Ｄ２で示されているプリントサイズが例えばキャンペーン商品であることを顧客に容易に知らしめることが出来、結果としてその商品の販売活動の促進を図ることが出来るのである。
【００２４】
そして「プリントサイズ選択画面」でのプリントサイズの選択が終了すると、画像データ読み取り部３は、記録媒体Ｍから読み出した画像データに基づいて、ディスプレイ３の画面３０には、図６に示すサムネイル画像を一覧表示した「プリント枚数設定画面」が表示されるのであり、この「プリント枚数設定画面」により、顧客が各画像のプリント枚数を設定すると、注文入力処理が終了して初期画面に復帰するのである。
【００２５】
以上の実施形態では、液晶ディスプレイ３の画面３０にタッチパネルを形成して、液晶画面に指を触れることで、各種情報を入力するようにしたが、別途キーポードやマウスなどの入力装置を搭載してもよい。
【００２６】
また以上の実施形態では、画像処理受付装置１にプリント処理装置６をネットワークを介して接続するようにしたが、本発明はこれに限定されるものではなく、画像処理受付装置１に例えばインクジェット式のプリンターを一体に組み込んでもよい。
【００２７】
さらに、画像データをプリントするプリント処理装置６としては、印画紙に画像を露光して現像するプリント装置の他、普通紙にインクやトナーによる画像を形成するインクジェット式プリンタ、熱転写式プリンタあるいはカラーレーザ式プリンタから構成してもよい。
【００２８】
また以上の実施形態では、制御装置２の表示形態変化機能部２１により、プリントサイズ選択画面に表示される選択表示部Ｄ１・Ｄ２・Ｄ３中の特定の選択表示部（尚、実施例においてＤ２が顧客に特定されている場合を示したが、ケースによっては特定される選択表示部がＤ１であってもＤ３であってもよいことはいうまでもない）を他の選択表示とは異なる形態で表示させるようにしたが、これに限定されるものではなく、例えばプリント用紙の種類を選択する選択表示部中の特定の選択表示部を他の選択表示とは異なる形態で表示させるようにしてもよい。
【図面の簡単な説明】
【００２９】
【図１】本発明にかかる画像処理受付装置を用いたプリントシステムの説明図。
【図２】同、構成図。
【図３】本発明にかかる画像処理受付装置の斜視図。
【図４】ディスプレイに表示される各種画面の説明図。
【図５】ディスプレイに表示される「プリントサイズ選択画面」を拡大して示す説明図。
【図６】ディスプレイに表示される「プリント枚数設定画面」の説明図。
【符号の説明】
【００３０】
１      画像処理受付装置
２      制御装置
２１    表示形態変化機能部（表示形態変化手段）
２２    特定選択表示部設定機能部（特定選択表示部設定手段）
３      液晶ディスプレイ
３０    画面
４      読取装置
Ｄ１・Ｄ２・Ｄ３  選択表示部
【図１】
2006079414.tif 000003
【図２】
2006079414.tif 000004
【図３】
2006079414.tif 000005
【図４】
2006079414.tif 000006
【図５】
2006079414.tif 000007
【図６】
2006079414.tif 000008